(57)【要約】【課題】  従来の裾止め靴の場合には、ズボン等の裾を止めるという機能を発揮させるために、糸を引き出して、その糸でズボン等の上から膝関節の下側に、その糸を巻きつけるという作業が必要であり、大変面倒であった。また、靴に靴用掛止具を取り付ける方法については、裾を挟み込む必要のない場合に邪魔になるという問題や、裾を挟み込んだ状態の保持力を向上させようとすると、保持力を向上させた状態のままでは靴側が変形することになり、挟み込んだ状態の保持力を調整するのが難しい等の問題があった。【解決手段】  本発明の靴取り付け裾掛止具１は、直線的な形状で所定の範囲が弾性体であって、前記直線的な形状のままで靴に取り付ける取り付け方と、前記所定の範囲の弾性体を湾曲させて湾曲部１ｃが上側になる様に取り付ける取り付け方とができる。【選択図】図３
2016087191.tif 000002
【特許請求の範囲】
【請求項１】
直線的な形状で所定の範囲が弾性体であって、前記直線的な形状のままで靴に取り付ける取り付け方と、前記所定の範囲の弾性体を湾曲させて湾曲部が上側になる様に取り付ける取り付け方とができる靴取り付け裾掛止具。
【請求項２】
前記直線的な形状の各部の曲げ応力を、靴に接する側よりも靴に接しない側を大きくなるようにした請求項１記載の靴取り付け裾掛止具。
【請求項３】
前記直線的な形状の靴に接する側に、靴の背面側形状に対応する所定大きさの孔が開けられている請求項１または請求項２記載の靴取り付け裾掛止具。
【請求項４】
前記直線的な形状の両側の夫々の面の色または／および模様が、異なる色または／および模様にして形成されている請求項１乃至請求項３の何れか記載の靴取り付け裾掛止具。
【発明の詳細な説明】
【技術分野】
【０００１】
本発明は、濡れたり汚れたりしている場所でズボン、パンタロンやスラックス等（以下、ズボン等と略す。）の裾が濡れたり汚れたりすることを防ぐ、靴に取り付ける靴取り付け裾掛止具に関するものである。
【背景技術】
【０００２】
半ズボンを除く通常のズボン等は、ズボン等の下端、所謂裾が足首の近傍まである場合が多く、ズボン等を着用して、雨が降って路面や道等が濡れ、さらには未舗装でぬかるんでいる場合や、公衆トイレ等で床面が汚水等で汚れている場合等に、靴の踵側では、ズボンの後ろ側の裾が濡れたり汚れたりするおそれがあった。
【０００３】
そのため、特許文献１のような裾止め靴が提案されている。また、本願の出願人においても、特許文献２のような、掛止具が取り付けられた靴および靴用掛止具が提案されていた。
【先行技術文献】
【特許文献】
【０００４】
【特許文献１】特開２００１−１０４０１３号公報
【特許文献２】特開２０１４―１９８２２８号公報
【発明の概要】
【発明が解決しようとする課題】
【０００５】
しかしながら、特許文献１記載の裾止め靴の場合には、ズボン等の裾を止めるという機能を発揮させるために、糸を引き出して、その糸でズボン等の上から膝関節の下側（ふくらはぎの上部の糸がずり落ちない箇所）に、その糸を巻きつけるという作業が必要であり、大変面倒であった。また、糸を靴に収納することに関しては、靴の踵の内部にゼンマイやリール等を設けて、糸の引出しや糸の収納を行うので、構造が複雑になるという問題があった。
【０００６】
また、トイレに座った状態で歩く等の足を動かす動作をしない場合は良いが、歩くような動作をする場合は、ふくらはぎに巻き付けた糸が邪魔になり歩き難いため、濡れた路面を歩くことに関しては考慮されてないという問題があった。
【０００７】
さらには、雨天における土木作業や農作業等で長靴を着用する場合において、布製のズボンの裾は長靴の中に入れても、長靴の中に雨水が侵入することを防ぐために、合羽等の防水処理を施した雨具のズボンの裾を長靴の外側に出すのが普通である。このような場合に、合羽のズボンの裾が濡れたり汚れたりしていれば、事務所や居宅等の屋内の床面を汚すことになり、合羽のズボンを脱いで屋内に入るのでは作業性が悪かった。ところが、土木作業等について、特許文献１記載の裾止め靴を使用することは、前述のように歩く等の行動をすることに関しては考慮されてないので、使用できないという問題があった。
【０００８】
特許文献２記載の掛止具が取り付けられた靴および靴用掛止具の場合には、靴用掛止具が靴に取り付けられた状態のままでは、裾を挟み込む必要のない場合に邪魔になるという問題があった。
【０００９】
さらには、裾を挟み込んだ状態の保持力を向上させようとすると、保持力を向上させた状態のままでは靴側が変形することになり、挟み込んだ状態の保持力を調整するのが難しいという問題があった。
【課題を解決するための手段】
【００１０】
上記の課題を解決するため、本発明では、次の技術的手段を講じている。
【００１１】
第１発明の靴取り付け裾掛止具は、直線的な形状で所定の範囲が弾性体であって、前記直線的な形状のままで靴に取り付ける取り付け方と、前記所定の範囲の弾性体を湾曲させて湾曲部が上側になる様に取り付ける取り付け方とができる。
【００１２】
第２発明の靴取り付け裾掛止具は、請求項１記載の発明において、前記直線的な形状の各部の曲げ応力を、靴に接する側よりも靴に接しない側を大きくなるようにしている。
【００１３】
第３発明の靴取り付け裾掛止具は、請求項１または請求項２記載の発明において、前記直線的な形状の靴に接する側に、靴の背面側形状に対応する所定大きさの孔が開けられている。
【００１４】
第４発明の靴取り付け裾掛止具は、請求項１乃至請求項３の何れか記載の発明において、前記直線的な形状の両側の夫々の面の色または／および模様が、異なる色または／および模様にして形成されている。
【発明の効果】
【００１５】
以上のような技術的手段を有することにより、以下の効果を有する。
【００１６】
第１発明によれば、直線的な形状で所定の範囲が弾性体であって、前記直線的な形状のままで靴に取り付ける取り付け方と、前記所定の範囲の弾性体を湾曲させて湾曲部が上側になる様に取り付ける取り付け方とができるので、裾を掛止する必要がない場合でも、靴の背面側で大きく食み出すことはないので、邪魔になることはなく、湾曲させることで保持力を調整するこができる。
【００１７】
第２発明によれば、第１発明の効果に加えて、前記直線的な形状の各部の曲げ応力を、靴に接する側よりも靴に接しない側を大きくなるようにしているので、ズボン等の裾を保持させる効果を上げることが可能となる。
【００１８】
第３発明によれば、第１発明または第２発明の効果に加えて、前記直線的な形状の靴に接する側に、靴の背面側形状に対応する所定大きさの孔が開けられているので、ズボン等の裾の布地を噛み込むように保持させることが可能となり、ズボン等の裾の保持力を向上させることが可能となる。
【００１９】
第４発明によれば、第１発明乃至第３発明の何れかの効果に加えて、前記直線的な形状の両側の夫々の面の色または／および模様が、異なる色または／および模様にして形成されているので、ズボン等の裾を挟む必要のない場合と、ズボン等の裾を挟める状態にした場合の使用状況に合わせて、色または／および模様を変化させることが可能となり、必要な場合には、目立つ様にすることができる。
【図面の簡単な説明】
【００２０】
【図１】本発明に係る実施例１の靴取り付け裾掛止具および靴取り付け裾掛止具を長靴に取り付ける方法を説明する説明図である。
【図２】本発明に係る実施例１の靴取り付け裾掛止具を長靴に取り付けた状態の説明図である。
【図３】本発明に係る実施例１の長靴に靴取り付け裾掛止具を取り付け、裾を掛止できる状態の説明図である。
【図４】本発明に係る実施例２の靴取り付け裾掛止具を長靴に取り付けた状態の説明図である。
【図５】本発明に係る実施例２の長靴に靴取り付け裾掛止具を取り付け、裾を掛止できる状態の説明図である。
【図６】本発明に係る実施例３の靴取り付け裾掛止具を取り付けた長靴の側面図である。
【発明を実施するための形態】
【００２１】
発明を実施する形態について、図面に基づいて具体的に説明する。
【実施例１】
【００２２】
本発明の実施例１の靴取り付け裾掛止具および靴取り付け裾掛止具の靴への取り付け方法について、図１を用いて説明する。靴取り付け裾掛止具１は、所定の厚さを有した略短冊状の形状となっている。靴取り付け裾掛止具１の材質は、プラスチック等の合成樹脂、ゴムや金属等で全体が直線的な形状の弾性体で形成されている。
【００２３】
なお、靴取り付け裾掛止具１全体を弾性体としないで後述する湾曲が必要な所定の箇所だけを弾性体とする場合や、異なる曲げ応力の弾性体を接合した複合材としても良い。さらには、弾性体を芯材として、表面を布、合成皮革や天然皮革等の柔らかな素材で覆っても良い。
【００２４】
靴取り付け裾掛止具１の幅については、弾性体の種類や厚みによって異なる曲げ応力により適度な幅を選択する。例えば、外観が目立たないようにする場合については、曲げ応力を大きくして、幅を狭くすると良い。
【００２５】
靴取り付け裾掛止具１の一面、説明上、仮に表面１ａ側には、掛合と分離が可能な一組のスナップボタン（ホック）３１、３２が取り付けられている。なお、靴取り付け裾掛止具１の表面１ａの反対側を裏面１ｂと呼ぶ。一組のスナップボタンは、表面１ａの上側にスナップボタンオス３１が、下側にスナップボタンメス３２が取り付けられている。
【００２６】
靴取り付け裾掛止具１の靴への取り付け方法について説明する。靴については長靴５を例として図示している。長靴５はあくまでも例示であって、革靴、布製の作業靴、安全靴等の短靴であっても同様に実施できる。長靴５の背面側５１の踵５２の踵近傍５２ａに、靴取り付け裾掛止具１を取り付ける接着剤または両面テープ等の接合部材４１を塗布や貼付等する。長靴５の履き口５３の履き口近傍５３ａに、掛合した状態で外側の２面には接着剤または両面テープが塗布や貼付等されている一組の面ファスナー４６、４７を取り付ける。
【００２７】
なお、接合部材４１の他の例としては、着脱を可能にしたい場合には、一組の面ファスナーや、回転を防止するための複数のスナップボタン等を使用しても良い。さらには、靴５の踵５２の材質によっては、釘や木ネジ、ステップラー等の金属製の締結部材を使用して靴取り付け裾掛止具１を取り付けても良い。
【００２８】
長靴５に靴取り付け裾掛止具１を取り付けられた状態が、図２である。図２において、靴取り付け裾掛止具１は、接合部材４１と一組の面ファスナー４６、４７によって長靴５の背面側５１の所定の箇所に取り付けられている。図２は、ズボン等の裾を挟む必要のない場合の状態を図示したものである。この様に、裾の汚れが心配ない場合には、長靴５の背面側５１に密着するようにとりつけることが可能であるので、長靴５の外面から大きく食み出すことはないので、邪魔にならずに目立たない状態でとりつけることができる。なお、長靴５等の様に背面の長さが長い場合には、踵近傍５２ａと履き口近傍５３ａの間の所定の箇所に、一組以上の面ファスナー４６、４７追加する様にしても良い。
【００２９】
図３については、ズボン等の裾を挟める状態にした場合である。図３の状態は、図２の状態から、靴取り付け裾掛止具１の上側の一組の面ファスナー４６、４７を分離して、靴取り付け裾掛止具１の上端側を背面側５１から離す様に湾曲させ、上側のスナップボタンオス３１を下側のスナップボタンメス３２に掛合させることによって、靴取り付け裾掛止具１の湾曲した状態を維持する様にさせたものである。
【００３０】
靴取り付け裾掛止具１が湾曲していることにより、弾性体である靴取り付け裾掛止具１は適度にループ状に膨らんだ湾曲部１ｃが、長靴５の背面側５１を押し付ける様な状態で維持されている。これにより、ズボン等の裾を保持する効果を増大させることが可能になる。同時に、靴取り付け裾掛止具１の湾曲部１ｃがあることで、靴取り付け裾掛止具１と長靴５との隙間は上部が拡がり、徐々に狭まる空間を形成することになるから、ズボン等の裾を挟み込む際に挟み込み易い形状となる。
【００３１】
靴取り付け裾掛止具１が図３のように取り付けられていることで、ズボン等の裾の後ろ側が靴取り付け裾掛止具１と長靴５に挟み込むことが可能となり、裾の濡れや汚れを防止できる。
【００３２】
なお、靴取り付け裾掛止具１からズボン等の裾が抜けにくくするために、靴取り付け裾掛止具１の長靴５の背面側５１に接する側に複数の溝や複数の小突起等の滑り止めを設けても良い。図１乃至図３に図示した長靴５については、一足として用いるものであることから、左右一対を図示して説明すべきであるが、右足用と左足用に関しての差異は背面側５１においてはほとんどなく、靴取り付け裾掛止具１についても同一形状で実施可能であることから、片側の靴だけを用いて説明する。また、以下の実施例についても片側の長靴５を代表例として説明する。
【実施例２】
【００３３】
実施例２の靴取り付け裾掛止具２については、靴取り付け裾掛止具１の上下方向の弾性体の曲げ応力が変化するようにした例である。上下方向の弾性体の曲げ応力を変化する手段としては、外観は同一で材質を変化させる方法や、厚み方向の厚みを変化させる方法もあるが、図を用いて説明する場合に、形状に変化がある方が説明が容易であることから、幅方向を変化させた例として説明する。
【００３４】
図４において、長靴５に取り付けられた靴取り付け裾掛止具２を示す。靴５に靴取り付け裾掛止具２を取り付ける方法については、実施例１と同様であることから同一の符号を附して説明を省略する。靴取り付け裾掛止具２の外観形状については、長靴５の背面側５１において、踵５２から履き口５３に向かうに従って、靴取り付け裾掛止具２の幅が広がる形状となっている。言い換えるならば、靴取り付け裾掛止具２の外観形状は、上辺側の方が下辺側よりも長いという、「逆台形」の形状となっている。靴取り付け裾掛止具２の表面２ａには、上側にスナップボタンオス３１が、下側にスナップボタンメス３２が取り付けられている。
【００３５】
図５については、ズボン等の裾を挟める状態にした場合である。図５の状態は、図４の状態から、靴取り付け裾掛止具２の上側の一組の面ファスナー４６、４７を分離して、靴取り付け裾掛止具２の上端側を背面側５１から離す様に湾曲させ、上側のスナップボタンオス３１を下側のスナップボタンメス３２に掛合させることによって、靴取り付け裾掛止具２の湾曲した状態を維持する様にさせたものである。
【００３６】
図５における靴取り付け裾掛止具２の湾曲部２ｃについては、靴取り付け裾掛止具２が逆台形状であるため、靴取り付け裾掛止具２の長靴５に接する側の曲げ応力が、長靴５に接しない側の曲げ応力よりも小さいもの（曲がり易いもの）となる。そのため、靴取り付け裾掛止具２の長靴５の接する側の方がより大きく曲がることになり、湾曲部２ｃは、長靴５の背面側５１に向かって、より大きく膨らむ形状となる。そのため、湾曲部２ｃは長靴５の背面側５１をより強く押すことで、ズボン等の裾の保持力を増加させることになる。同時に、靴取り付け裾掛止具２の湾曲部２ｃがあることで、靴取り付け裾掛止具２と長靴５との隙間は上部が拡がり、徐々に狭まる空間を形成することになるから、ズボン等の裾を挟み込む際に挟み込み易い形状となる。
【実施例３】
【００３７】
実施例３の靴取り付け裾掛止具３については、靴取り付け裾掛止具３を湾曲して、長靴５に接する側に長靴５の背面側５１の曲面に嵌まり込む程度の孔２１を開けた場合の例である。実施例１および実施例２と実施例３は、孔２１の部分が異なるだけであるので、靴取り付け裾掛止具３の取り付け方法や靴５への取り付けられた状態については同一の符号を附して説明を省略し、靴取り付け裾掛止具３の孔２１が長靴５の背面側５１の曲面に嵌合する状態を説明する説明図である図６を用いて、実施例３を説明する。
【００３８】
靴取り付け裾掛止具３を長靴５に取り付け、裾等を挟み込むことが可能な状態にするために、靴取り付け裾掛止具３湾曲させて、上側のスナップボタンオス３１を下側のスナップボタンメス３２に掛合させることによって、靴取り付け裾掛止具２の湾曲した状態を維持させた状態を図６に示している。湾曲した状態の靴取り付け裾掛止具３の長靴５に接する側に孔２１が開けられているため、長靴５の背面側５１は、孔２１に嵌合して、靴取り付け裾掛止具３の湾曲した内側から側面視において背面側５１は見ることが可能となっている。
【００３９】
孔２１の形状については、長靴５の背面側５１の形態が略円筒形の形状である場合や、略半球等の３次元に変化するような形状等の場合があるが、略円形や略楕円形の形状であれば、嵌合させることが可能となる。
【００４０】
靴取り付け裾掛止具３については、長靴５に接する側に孔２１が開けられていることで、長靴取り付け裾掛止具２の幅方向を変化させなくても、靴５に接する側の曲げ応力を、長靴５に接しない側の曲げ応力より小さくすることができるので、実施例２と同様な効果を得ることが可能となる。
【００４１】
同時に、孔２１が開けられていることにより、ズボン等の裾の布地を長靴５の背面側５１との間で噛み込むように保持することができるので、ズボン等の裾を保持させる効果を増大させることができる。
【実施例４】
【００４２】
実施例４は、実施例１乃至実施例３の靴取り付け裾掛止具１乃至３の表面１ａ、２ａ、３ａと裏面１ｂ、２ｂ、３ｂの、色または／および模様を異なるものの組み合わせとした例である。形状については同一で、色または／および模様の違いについてであるので、図２乃至図６に図示されている内容を用いて説明する。
【００４３】
靴取り付け裾掛止具１乃至３の表面１ａ、２ａ、３ａと裏面１ｂ、２ｂ、３ｂの色または／および模様が、異なるものに変えられていることにより、図２乃至図６に図示されている様に、図２、図４のズボン等の裾を挟む必要のない場合の状態については、靴取り付け裾掛止具１、２は表面１ａ、２ａだけしか見えない状態になっている。また、図３、図５、図６のズボン等の裾を挟める状態については、靴取り付け裾掛止具１、２、３の裏面１ｂ、２ｂ、３ｂだけが見えることになる。よって異なる色または／および模様にすることで、使用する場合を考慮した色または／および模様にすることができる。
【００４４】
例えば、図２、図４のズボン等の裾を挟む必要のない場合については、表面１ａ、２ａの色または／および模様を長靴５の色または／および模様に合わせたものとして靴取り付け裾掛止具１、２、を目立たないものとし、図３、図５、図６のズボン等の裾を挟める状態については、雨天や暗闇等の行動や作業でも目立つ蛍光塗料や反射材を取り付けることや、目立つ文字図形等を描くことにより、安全性が向上する状態にすることが出来る。
【００４５】
以上、本発明について、実施例に基づき説明してきたが、本発明は何らこれらの実施例の構成に限定するものではない。例えば、靴取り付け裾掛止具１乃至３形状を「略短冊状」や「逆台形」として説明しているが、機能を発揮できるその他の形状でも良い。靴取り付け裾掛止具１、２、３の材質については、長靴５との間で裾を適切に挟むことができれば、その他の材料を使用しても実施可能である。
【符号の説明】
【００４６】
１、２、３：靴取り付け裾掛止具
１ａ、２ａ、３ａ：表面
１ｂ、２ｂ、３ｂ：裏面
１ｃ、２ｃ、３ｃ：湾曲部
５：長靴
２１：孔
３１：スナップボタンオス
３２：スナップボタンメス
４１：接合部材
４６、４７：面ファスナー
５１：背面側
５２：踵
５２ａ：踵近傍
５３：履き口
５３ａ：履き口近傍
【図１】
2016087191.tif 000003
【図２】
2016087191.tif 000004
【図３】
2016087191.tif 000005
【図４】
2016087191.tif 000006
【図５】
2016087191.tif 000007
【図６】
2016087191.tif 000008